(57)【特許請求の範囲】
【請求項１】
プリント基板(1)の一面(1a)上に設けられ導電材よりなる第１部材(3)と、前記プリント基板(1)の他面(1b)に設けられた第２部材(21)と、前記第２部材(21)に設けられ前記プリント基板(1)及び前記第１部材(3)を貫通して前記第１部材(3)に係合する複数の係合片(25)と、前記第１部材(3)及びプリント基板(1)を貫通し前記第２部材(21)のねじ孔(32)と螺合するねじ体(4)とを備え、前記ねじ体(4)のねじ頭(4b)と前記第１部材(3)との間に取付部品(10)を保持する構成としたことを特徴とするプリント基板の部品取付構造。
【請求項２】
前記プリント基板(1)の一面(1a)又は／及び他面(1b)には電極(2)が形成されていることを特徴とする請求項１記載のプリント基板の部品取付構造。
【請求項３】
前記係合片(25)に形成された爪部(25a)が前記第１部材(3)の表面(3A)と係合していることを特徴とする請求項１又は２記載のプリント基板の部品取付構造。
【発明の詳細な説明】
【０００１】
【発明の属する技術分野】
本発明は、プリント基板の部品取付構造に関し、特に、プリント基板の両面に設けられた一対の部材でプリント基板を挟むと共に、ねじ体のねじ頭と第１部材間にヒューズや圧着端子等の取付部品を保持することにより、プリント基板からの高さを従来よりも低く抑えた状態にて取付部品の取付を行うようにするための新規な改良に関する。
【０００２】
【従来の技術】
従来、用いられていたこの種のプリント基板としては、図３に示される構成が一般に採用されていた。
すなわち、図３において符号１で示されるものはプリント基板であり、このプリント基板１の一面１ａには、パターン、等によってランド形状等の電極２が形成されている。
前記プリント基板１の一面１ａには、断面コ字形をなす部材３が設けられ、この部材３の足３ａ、３ｂはプリント基板１の前記電極２を貫通してプリント基板１の他面１ｂ側に突出していることにより、部材３がプリント基板１上に植設して固定されている。なお、この電極２と部材３とは半田によって固定されると共に電気的に導通している。
【０００３】
前記部材３の頂部には、ねじ体４が回転自在に螺合されており、このねじ体４のねじ部４ａはこの部材３の内側に突出している。
【０００４】
前述の状態において、ヒューズや圧着端子等の取付部品１０をプリント基板１に取付ける場合、図４で示されるように、前記部材３上に、取付部品１０の一端を載置し、この取付部品１０の上からその孔を介してねじ体４を部材３のねじ孔に螺入することによって、ねじ体４のねじ頭４ｂと部材３との間に取付部品１０が挟持され、取付部品１０はこのねじ部４ａと部材３を介してプリント基板１の電極２と導通するように構成されていた。
従って、取付部品１０は電極２と導通するため、プリント基板１に対する取付部品１０の取付が完了する。
【０００５】
【発明が解決しようとする課題】
従来のプリント基板の部品取付構造は、以上のように構成されていたため、次のような課題が存在していた。
すなわち、プリント基板上に植設する部材の高さａがまず必要であり、この部材に取付けたねじ体及び取付部品の高さを加えると全体の高さはｂ’となり、取付部品の取付後の高さはプリント基板上では障害となる程度の高さとなっていた。
【０００６】
本発明は、以上のような課題を解決するためになされたもので、特に、プリント基板の両面に設けられた一対の部材でプリント基板を挟むと共に、ねじ体のねじ頭と第１部材間にヒューズや圧着端子等の取付部品を保持することにより、プリント基板からの高さを従来よりも低く抑えた状態にて取付部品の取付を行うようにしたプリント基板の部品取付構造を提供することを目的とする。
【０００７】
【課題を解決するための手段】
本発明によるプリント基板の部品取付構造は、プリント基板の一面上に設けられ導電材よりなる第１部材と、前記プリント基板の他面に設けられた第２部材と、前記第２部材に設けられ前記プリント基板及び前記第１部材を貫通して前記第１部材に係合する複数の係合片と、前記第１部材及びプリント基板を貫通し前記第２部材のねじ孔と螺合するねじ体とを備え、前記ねじ体のねじ頭と前記第１部材との間に取付部品を保持する構成であり、また、前記プリント基板の一面又は／及び他面には電極が形成されている構成であり、また、前記係合片に形成された爪部が前記第１部材の表面と係合している構成である。
【０００８】
【発明の実施の形態】
以下、図面と共に本発明によるプリント基板の部品取付構造の好適な実施の形態について説明する。なお、従来例と同一又は同等部分については同一符号を用いて説明する。
図１において符号１で示されるものはプリント基板であり、このプリント基板１の一面１ａには、パターン、等によってランド形状等の電極２が形成されている。この電極２は、一面１ａ又は／及び他面１ｂに形成できる。
【０００９】
前記プリント基板１の一面１ａには、全体形状がほぼ板状をなす第１部材３が設けられ、この第１部材３の両側位置には、複数の係合孔２０が形成されている。
前記プリント基板１の他面１ｂには、第２部材２１が設けられていると共に、この第２部材２１の両側に突出して形成された各係合片２５は前記プリント基板１に形成された取付孔２６及び係合孔２０を貫通して前記第１部材３から突出している。
前記各係合片２５の先端に形成された爪部２５ａは前記係合孔２０から突出して前記第１部材３の表面３Ａに係合していることにより、第１、第２部材３、２１は、プリント基板１を挟んで固定されている。
【００１０】
前記第１部材３に形成された第１貫通孔３０に挿入されたねじ体４は、前記プリント基板１に形成された第２貫通孔３１を貫通した後に第２部材２１に形成されたねじ孔３２に螺入されて下方へ突出して貫通している。
【００１１】
次に、前述の構成において、ヒューズや圧着端子等の取付部品１０を取付ける場合について説明する。
まず、ねじ体４をゆるめることにより、ねじ体４を第１部材３の第１貫通孔３０から抜き出した後、図２に示すように、取付部品１０を第１部材３上に載置させ、この取付部品１０の孔１０ａを第１貫通孔３０と一致させる。
【００１２】
前述の状態で、ねじ体４を孔１０ａ、第１貫通孔３０、第２貫通孔３１を経てねじ孔３２に挿入して螺合させ締め付けることにより、取付部品１０はねじ頭４ｂと第１部材３とによって締め付け固定される。
同時に、このねじ体４の螺入によって、前記取付部品１０、第１部材３、プリント基板１及び第２部材２１は、共に強固に一体状に結合される。
なお、係合片２５と第１部材３との結合は、爪部２５ａを用いた場合について述べたが、爪部２５ａを用いることなく、例えば、加熱して融着することによって一体状に結合することもできる。また、前記各部材３、２１は導電材の場合、又は、樹脂で成形して外面に導電性メッキ膜を形成した場合等とすることもできる。
【００１３】
【発明の効果】
本発明によるプリント基板の部品取付構造は、以上のように構成されているため、次のような効果を得ることができる。
すなわち、板状をなす第１、第２部材がプリント基板を挟むようにして固定され、この各部材とプリント基板を貫通してねじ体が設けられ、このねじ体によって取付部品が第１部材に固定されているため、各部材の高さを従来のように高くする必要がなく、全体形状を偏平状とすることができる。
また、部品取付構造を偏平化することにより、プリント基板に取付部品を取付けた後のプリント基板全体の総厚さを従来よりも薄くすることができ、プリント基板を多用する装置の小型化及び偏平化に寄与することができる。
【図面の簡単な説明】
【図１】本発明によるプリント基板の部品取付構造を示す断面図である。
【図２】図１に取付部品を取付けた状態を示す要部の断面図である。
【図３】従来構成を示す断面図である。
【図４】図３に取付部品を取付けた状態を示す断面図である。
【符号の説明】
１    プリント基板
１ａ    一面
１ｂ    他面
２    電極
３    第１部材
４    ねじ体
４ｂ    ねじ頭
１０    取付部品
２１    第２部材
２５    係合片
３２    ねじ孔
２５ａ    爪部
【図１】
0004284433.tif 000002
【図２】
0004284433.tif 000003
【図３】
0004284433.tif 000004
【図４】
0004284433.tif 000005